(57)【要約】【課題】モータの制御回数を少なくすることができるとともに、外風圧に拘わりなく一定の換気量が得られる換気装置を提供する。【解決手段】換気ファンと、この換気ファンを回転させるモータ３０と、このモータ３０の回転数を検出する回転数検出手段３２と、モータ３０に流れる電流を検出する電流検出手段３３と、回転数検出手段３２が検出する回転数と電流検出手段３３が検出する電流とに基づいてモータ３０を制御する制御装置４０とを備え、制御装置４０は、回転数検出手段３２が検出する回転数と電流検出手段３３が検出する電流とから予め設定した周期の期間に換気される総換気量を求め、この総換気量とその周期の目標総換気量とを比較して過不足を求め、次の周期の期間の総換気量が前記目標総換気量にその過不足を加算した値となるように次の周期の期間だけ制御し、この制御を各周期毎に行っていく。【選択図】  図３
2004340490.tif 000002
【特許請求の範囲】
【請求項１】
室内の空気を吸気して外へ排気する換気ファンと、この換気ファンを回転させるモータと、このモータの作動状態を検出する作動状態検出手段と、この作動状態検出手段が検出する作動状態に基づいて前記モータを制御する制御手段とを備えた換気装置であって、
前記制御手段は、前記作動状態検出手段が検出した検出結果に基づき、所定の周期の期間に換気される総換気量を求め、この総換気量と目標総換気量とを比較して過不足を求め、次の周期の期間の総換気量が前記目標総換気量にその過不足を加算した値となるように次の周期の期間の換気量を制御し、この制御を各周期毎に行うことを特徴とする換気装置。
【請求項２】
室内の空気を吸気して外へ排気する換気ファンと、この換気ファンを回転させるモータと、このモータの回転数を検出する回転数検出手段と、前記モータに流れる電流を検出する電流検出手段と、前記回転数検出手段が検出する回転数と前記電流検出手段が検出する電流とに基づいて前記モータを制御する制御手段とを備えた換気装置であって、
前記制御手段は、前記回転数検出手段が検出する回転数と前記電流検出手段が検出する電流とから所定周期の期間に換気される総換気量を求め、この総換気量とその周期の目標総換気量とを比較して過不足を求め、次の周期の期間の総換気量が前記目標総換気量にその過不足を加算した値となるように次の周期の期間の換気量を制御し、この制御を各周期毎に行っていくことを特徴とする換気装置。
【請求項３】
前記各周期の開始時点から所定時間経過した後から換気量の総換気量を求め、その開始時点から所定時間経過までの期間の換気量をゼロまたは規定損失換気量として前記周期の期間の総換気量とすることを特徴とする請求項１または請求項２に記載の換気装置。
【請求項４】
前記モータに印加する電圧を検出する電圧検出手段を有し、
前記総換気量を前記回転数検出手段が検出する回転数と電流検出手段が検出する電流と前記電圧検出手段が検出する電圧とに基づいて求めることを特徴とする請求項２または請求項３に記載の換気装置。
【発明の詳細な説明】
【０００１】
【発明の属する技術分野】
この発明は、室内の換気を例えば２４時間行う換気装置に関する。
【０００２】
【従来の技術】
従来から、一定風量の換気量が得られるように運転する換気装置が知られている（特許文献１参照）。
【０００３】
かかる換気装置は、ファンモータの通電を制御する通電制御手段と、ファンモータの回転数を検出する回転数検出手段と、ファンモータの運転風量を指示する風量指示手段と、この風量指示手段によって指示された風量で運転するためのモータの各印加電圧での規定回転数を記憶する記憶手段と、モータの印加電圧を制御する電圧制御手段とを備えている。そして、電圧制御手段は、前記回転数検出手段によって検出した運転回転数と記憶手段に記憶された現在の指示風量と印加電圧の両方に対応する規定回転数とを比較してモータの印加電圧を制御し、この制御によって運転回転数と規定回転数とを一致させるものである。
【０００４】
【特許文献１】
特許第３０１２７２１号公報
【０００５】
【発明が解決しようとする課題】
ところで、ファンモータの回転数はファンが受ける外風圧よって変化するものであり、電圧制御手段はファンモータの回転数が変化するとモータの印加電圧を制御してそのファンモータの回転数を規定回転数に戻すが、外風圧は頻繁に変化するのでモータの印加電圧も頻繁に変化することになり、このためモータの騒音の大きさやその騒音の周波数が頻繁に変化する。このため、非常に耳障りになってしまうという問題があった。
【０００６】
この発明の目的は、モータの制御回数を少なくすることができるとともに、外風圧に拘わりなく所定の時間内で一定の換気量が得られる換気装置を提供することにある。
【０００７】
【課題を解決するための手段】
上記目的を達成するため、請求項１の発明は、室内の空気を吸気して外へ排気する換気ファンと、この換気ファンを回転させるモータと、このモータの作動状態を検出する作動状態検出手段と、この作動状態検出手段が検出する作動状態に基づいて前記モータを制御する制御手段とを備えた換気装置であって、
前記制御手段は、前記作動状態検出手段が検出した検出結果に基づき、所定の周期の期間に換気される総換気量を求め、この総換気量と目標総換気量とを比較して過不足を求め、次の周期の期間の総換気量が前記目標総換気量にその過不足を加算した値となるように次の周期の期間の換気量を制御し、この制御を各周期毎に行うことを特徴とする。
【０００８】
請求項２の発明は、室内の空気を吸気して外へ排気する換気ファンと、この換気ファンを回転させるモータと、このモータの回転数を検出する回転数検出手段と、前記モータに流れる電流を検出する電流検出手段と、前記回転数検出手段が検出する回転数と前記電流検出手段が検出する電流とに基づいて前記モータを制御する制御手段とを備えた換気装置であって、
前記制御手段は、前記回転数検出手段が検出する回転数と前記電流検出手段が検出する電流とから所定周期の期間に換気される総換気量を求め、この総換気量とその周期の目標総換気量とを比較して過不足を求め、次の周期の期間の総換気量が前記目標総換気量にその過不足を加算した値となるように次の周期の期間の換気量を制御し、この制御を各周期毎に行っていくことを特徴とする。
【０００９】
請求項３の発明は、前記各周期の開始時点から所定時間経過した後から換気量の総換気量を求め、その開始時点から所定時間経過までの期間の換気量をゼロまたは規定損失換気量として前記周期の期間の総換気量とすることを特徴とする。
【００１０】
また、請求項１〜請求項３の総換気量は、モータの回転数とモータの電流と制御信号値と換気風量と外風圧との関係を予め求めておいたデータテーブルから求めることを特徴とする。
【００１１】
請求項４の発明は、前記モータに印加する電圧を検出する電圧検出手段を有し、
前記総換気量を前記回転数検出手段が検出する回転数と電流検出手段が検出する電流と前記電圧検出手段が検出する電圧とに基づいて求めることを特徴とする。
【００１２】
【発明の実施の形態】
以下、この発明に係る換気装置の実施の形態を図面に基づいて説明する。
【００１３】
図１および図２に示す浴室用の換気装置１０は、浴室１１の天井Ｔ内に取り付ける本体ケース１２を有している。この本体ケース１２の下面には、浴室１１内の空気を吸い込む第１，第２吸込口１３，１４と、この第２吸込口１４から吸い込んだ空気を浴室内へ吹き出す吹出口１５とが設けられている。吹出口１５内にはＰＴＣヒータ（自己温度制御機能付きヒータ）等のヒータ１６が取り付けられており、吹出口１５から吹き出す空気をそのヒータ１６によって暖めるようになっている。また、第１吸込口１３にはこの第１吸込口１３を開閉するシャッタ１７が設けられている。
【００１４】
本体ケース１２の一側面には、他の部屋の空気を吸気する第１，第２吸気口１８，１９が設けられており、本体ケース１２の他側面には第１吸込口１３や第１，第２吸気口１８，１９から吸い込んだ空気を排気する排気口２０が設けられている。この排気口２０は、接続ダクト２０Ａに接続された排気ダクト２１を介して室外に連通している。また、第１，第２吸気口１８，１９は接続ダクト１８Ａ，１９Ａに接続されたダクト２２，２３を介して洗面所２４とトイレ２５にそれぞれに連通している。接続ダクト１８Ａ，１９Ａ内には第１，第２吸気口１８，１９を開閉するシャッタ２６，２７が設けられている。
【００１５】
本体ケース１２内には、第１吸込口１３や第１，第２吸気口１８，１９から空気を吸い込んで排気口２０へ送風するシロッコファン（換気ファン）２８と、第２吸込口１４から吸い込んだ空気を吹出口１５へ送風するシロッコファン２９とが設けられている。シロッコファン２８はモータ３０（図３参照）により回転され、シロッコファン２９はモータ３１により回転される。
【００１６】
図３は換気装置１０の制御系の構成を示したブロック図である。図３において、３２はモータ３０の回転数を検出する回転数検出手段、３３はモータ３０に流れる電流を検出する電流検出手段、３４はモータ３０に印加する印加電圧を検出する電圧検出回路（電圧検出手段）、３５はＡＣ電源から所定の直流電圧にして後述する制御装置（制御手段）４０に供給する電源回路、３６はＡＣ電源の交流電圧を直流電圧にするモータ３０用の整流平滑回路、３７は制御装置４０から出力される制御信号ＶＳＰの値に基づいてモータ３０に印加するパルス電圧の幅を変調するＰＷＭ駆動回路、３８は図４に示すモータの回転数Ｎとモータの電流Ｉと制御信号ＶＳＰの電圧値Ｇと換気風量Ｑと静圧（外風圧）Ｐとモータ３０に印加される印加電圧Ｅとの関係を予め求めておいたデータテーブル（図４参照）を記憶しているメモリ、３９は各操作スイッチ（図示せず）を設けた操作部であり、この操作部３９は例えば洗面所２４などに設けられる。
【００１７】
４０はＣＰＵ等からなる制御装置であり、この制御装置４０は操作部３９の操作に基づいてモータ３１やヒータ１６や各シャッター１７，２６，２７の開閉を制御したりする。
【００１８】
また、制御装置４０は、図５に示すように回転数検出手段３２が検出する回転数Ｎと電流検出手段３３が検出する電流Ｉと電圧検出回路３４が検出するモータ３０の印加電圧Ｅとから予め設定した３０秒の周期の期間に換気される総換気量を積算して求める積算手段４１と、この積算手段４１が求めた総換気量とその周期の目標総換気量とを比較して過不足の風量を求める比較手段４２と、この比較手段４２によって求めた過不足の風量と予め設定した設定目標総換気量とを加算して次の周期の目標風量を求めるとともにこの目標風量に応じた制御信号ＶＳＰ（制御電圧Ｇ）を次の周期の期間の間だけ出力する加算手段４３とを備えている。
【００１９】
［動  作］
次に、上記のように構成される換気装置１０の動作を図６に示すフロー図に基づいて説明する。
【００２０】
ステップ１では、操作部３９の操作により換気装置１０の運転開始のスタートスイッチ（図示せず）がオンされたか否かが判断され、イエスであればステップ２へ進み、ノーであればステップ１へ戻り、スタートスイッチがオンされるまでステップ１で待機することになる。
【００２１】
例えば、操作部３９の操作により２４時間換気モード（住宅全体の換気）が設定されると、シャッター１７，２６，２７が開成され、浴室１１、洗面所（脱衣所）２４、トイレ２５の換気が行われ、リビング等の他の室内の換気もアンダーカット部（ガラリ）を通して洗面所２４などに導かれ常時換気が行われる。
【００２２】
また、浴室換気モードが設定されるとシャッター１７，２６が開成され、シャッター２７が閉成されて浴室１１、洗面所２４の局所的な換気が行われる。この際にも、他の室内の換気が前記アンダーカット部を通して行われる。
【００２３】
また、トイレ換気のスイッチが押されたり、トイレの照明スイッチが押されたりすることにより、すなわちトイレが使用されると、シャッター２７が開成され、シャッター１７，２６が閉成されるようになっている。なお、２４時間換気モードは住宅全体などの対象エリアの常時換気を行うことを目的としたものであり、通常はオン状態となっている。
【００２４】
洗面所２４の換気スイッチ（操作部３９とは別に設けられているスイッチ）や照明スイッチが押されたりすると、すなわち洗面所２４が使用状態にあると、シャッター２６が開成され、シャッター１７，２７が閉成されるようになっている。
【００２５】
ここで、２４時間換気モードが設定されている場合について説明する。２４時間換気モードでは、シャッター１７，２６，２７が開成される。
【００２６】
ステップ２では、外風圧がゼロで設定目標風量が出せる制御信号ＶＳＰの電圧（制御電圧）Ｇを図４に示すデータデーブルから選択する。ここでは、静圧がゼロのときの風量Ｑａ０を設定目標風量とするものであり、この設定目標風量Ｑａ０となる制御信号ＶＳＰの制御電圧Ｇ１を選択する。なお、データデーブルの静圧Ｐの大きさはＰａ１＜Ｐａ２＜Ｐａ３…であり、Ｐｂ１＜Ｐｂ２＜Ｐｂ３…である。
【００２７】
ステップ３では、制御装置４０は制御電圧Ｇ１を図７に示す時点ｔ０から３０秒間だけ出力する。ＰＷＭ駆動回路３７は制御電圧Ｇ１を入力すると、この制御電圧Ｇ１に応じたパルス幅の電圧をモータ３０に印加してモータ３０を駆動する。そして、このモータ３０の駆動により、シロッコファン２８が回転して浴室１１、洗面所２４およびトイレ２５の空気がダクト２２，２３を介して第１吸込口１３、第１，第２吸気口１８，１９へ吸気されて排気口２０へ送風される。この排気口２０へ送風された空気は接続ダクト２０Ａおよび排気ダクト２１を介して室外に排気されていき、浴室１１、洗面所２４およびトイレ２５の換気が行われるとともに、アンダーカット部を通してリビング等の他の室内の換気が行われていく。
【００２８】
ステップ４では、モータ３０の駆動開始時点ｔ０から２．５秒経過したか否かが判断され、イエスであればステップ５へ進み、ノーであればステップ４へ戻り、２．５秒経過するまでステップ４で待機する。この２．５秒は、制御電圧Ｇ１が出力されてからモータ３０の回転が安定するまでの時間であり、必ずしも２．５秒である必要はなく、モータ３０の回転が安定するまでの時間であれば、これよりも長くても短くてもよい。
【００２９】
ステップ５では、回転数検出手段３２がモータ３０の回転数を検出し、電流検出手段３３がモータ３０に流れる電流を検出し、電圧検出回路３４がモータ３０に印加する電圧を検出する。そして、ステップ６では、図７に示すモータ３０の駆動開始時点ｔ０から予め設定した周期Ｔである３０秒（時点ｔ１から２７．５秒：サンプリング期間）が経過したか否かが判断され、イエスであればステップ７へ進み、ノーであればステップ５へ戻り、３０秒経過するまでステップ５，６の処理動作が繰り返し行われる。すなわち、図７に示す時点ｔ１から時点ｔ２までの期間のモータ３０の回転数Ｎとモータ３０の電流Ｉとモータ３０の印加電圧Ｅがサンプリングされていく。
【００３０】
ステップ７では、サンプリングしたモータ３０の回転数Ｎと電流Ｉと印加電圧Ｅとから図４に示すデータテーブルに基づいてサンプリングした期間の外風圧（静圧）Ｐの平均値を求める。この平均値は、サンプリングして求めた外風圧を積算し、この積算した外風圧をサンプリングした期間（時間）で割った値である。
【００３１】
ステップ８では、所定周期Ｔ１の期間内すなわち時点ｔ１から時点ｔ２の間の期間における外風圧の影響による総風量損失を外風圧の平均値とデータテーブルとから求める。風量損失は、例えば外風圧の平均値がＰａ３であるとすると、このＰａ３に対応する風量はＱａ３であり、設定目標風量はＱａ０であることにより風量損失はＱａ０−Ｑａ３となる。そして、その期間における総風量損失ＱＡは（Ｑａ０−Ｑａ３）×（時点ｔ１−時点ｔ２）となり、図８に示すＳＡの面積となる。
【００３２】
ステップ９では、総風量損失ＱＡと損失風量ＱＢとを加算した加算損失総風量ＱＴ（過不足）を求める。
【００３３】
損失風量ＱＢは、時点ｔ０〜時点ｔ１の間の換気量をゼロとした場合の損失風量として考えて、求めるものであり、時点ｔ０〜時点ｔ１の期間ではモータ３０の回転が安定しておらず、このためその期間では正確な損失風量を求めることができないので、外風圧によって最大損失風量が生じたものとして、損失風量ＱＢをＱａ０×２．５として求める。この損失風量ＱＢは、図８に示すＳＢの面積となる。
【００３４】
ここでは、ｔ０〜ｔ１の間の換気量をゼロとして損失風量を求めたが、ゼロではなく所定の損失量として求めてもよい。
【００３５】
また、時点ｔ１から時点ｔ２までの期間に行われた総換気風量を求め、その周期Ｔ１の設定目標総換気量（Ｑａ０×３０）から総換気風量（図８に示すＳＣの面積）を差し引いた値を加算損失総風量ＱＴとして求めてもよい。
【００３６】
そして、この加算損失総風量ＱＴに設定総風量Ｑ１（Ｑａ０×３０）を加算した値が次の周期Ｔ２の期間の総換気量となり、この総換気量を３０秒で割った値が次の目標風量ＱＭとなる。すなわち、図８に示すように、総風量損失ＱＡに損失風量ＱＢを加算して３０秒で割った値を設定目標風量Ｑａ０に加算した値が次の周期Ｔ２の目標風量ＱＭとなる。
【００３７】
ところで、所定周期の期間（Ｔ１，Ｔ２，Ｔ３…）に換気される総換気量は、換言すればモータの回転数とモータの電流と制御信号値と換気風量と外風圧との関係を予め求めておいたデータテーブルから求めるものである。
【００３８】
ステップ１０では、検出したモータ３０の回転数Ｎと電流Ｉと印加電圧Ｅとに基づいて換気量が目標風量ＱＭとなる制御電圧Ｇ２をデータテーブルから求める。この制御電圧Ｇ２を時点ｔ２で出力する。そして、ステップ３へ戻る。
【００３９】
そして、同様にして期間Ｔ２における総風量損失（時点ｔ３〜ｔ４間の総風量損失）と損失風量（時点ｔ２〜ｔ３間の損失風量＝ＱＭ×２．５）を求めて加算損失総風量を求め、この加算損失総風量に設定総風量Ｑ１（Ｑａ０×３０）を加算して次の周期Ｔ３の期間の総換気量を求め、この総換気量を３０秒で割って次の周期Ｔ３の目標風量を求め、この目標風量にする制御電圧Ｇ３を上記と同様にしてデータテーブルから求めて、この制御電圧Ｇ３を時点ｔ４で出力する。これら動作を繰り返し行っていく。
【００４０】
このように、一定周期である３０秒毎に制御電圧Ｇを求め、制御信号ＶＳＰを３０秒毎にその求めた制御電圧Ｇに切り替えていくものであり、３０秒間は制御電圧Ｇを変えない。すなわち、各周期の期間内では出力する制御信号の信号値を変えない。このため、随時回転数を制御する方法に比べモータ３０の制御回数が少なくなり、モータ３０の騒音の大きさやその騒音の周波数が頻繁に変化してしまうことがなく、このため耳障りになってしまうことが防止される。また、１周期における風量の損失を求め、この求めた損失の風量を次の周期に加算して所定風量が得られるようにしているので、外気の風圧に拘わりなく確実に所定の換気量が得られ、外風圧に拘わりなく室内を所定の換気量で換気することができる。
【００４１】
また、モータ３０に印加する印加電圧を制御してモータ３０の回転数を制御していないので、高価なスイッチング素子が不要であり、このため安価な換気装置１０を提供することができる。
【００４２】
上記実施形態では、２４時間換気モードが設定されている場合について説明したが、他の換気モードが設定されている場合も同じなのでその説明は省略する。
【００４３】
また、上記実施形態では、回転数検出手段３２が検出する回転数Ｎと電流検出手段３３が検出する電流Ｉと電圧検出回路３４が検出するモータ３０の印加電圧Ｅとから総換気量を求めているが、印加電圧Ｅが一定であれば回転数検出手段３２が検出する回転数Ｎと電流検出手段３３が検出する電流Ｉとから総換気量を求めてもよい。
【００４４】
上記実施形態では、ステップ７で外風圧Ｐの平均値を求めているが総換気量の平均値を求め、ステップ８でこの平均値から風量損失分を求めてもよい。この場合、回転数検出手段３２が検出する回転数Ｎと電流検出手段３３が検出する電流Ｉとから所定周期の期間に換気される総換気量を積算して求め、この総換気量を３０秒で割って平均値を求める。
【００４５】
また、上記実施形態では周期を３０秒に設定しているがこれに限らず、３０秒より長くても短くてもよい。
【００４６】
ところで、近年、住宅の高気密化により住宅内では十分な換気を行わないと、カーペット、フローリング、クロス等の建材から発生するホルムアルデヒドや揮発性有機化合物などの濃度が高くなってしまい、シックハウス症候群の原因となてしまう。このため、住宅全体で一定以上の換気すなわち計画換気を行う必要がある。
【００４７】
本発明の構成とすることにより、所定周期内では、制御信号ＶＳＰの変更を行わないため、耳障りにならず且つ所定時間内（１時間＋１周期）で一定の風量を満足することができ、所定時間内での必要換気量（例えば住宅全体の容積の０．５回／ｈ）を満足することができる。
【００４８】
また、浴室乾燥機等の浴室空調装置に本発明の構成を用いることにより、新たな換気装置を設けることなく、住宅全体で必要換気量を満足する計画換気が行える。また、室内に設けた多室換気装置として中間ダクトファンに用いることもできる。
【００４９】
さらに、制御装置４０はモータ３０の回転数とモータ３０の電流の検出結果に基づいてモータ３０を制御しているが、回転数のみ電流のみの検出結果に基づいて制御してもよい。
【００５０】
上記実施形態では、換気装置１０は浴室空調装置として説明したが、暖房、乾燥などの機能を有しておらず廊下や室内の天井裏等に設ける換気装置などの中間ダクトファン等であってもよい。
【００５１】
操作部３９の操作により暖房モードが設定されると、シャッター１７が閉成され、モータ３１が駆動されるとともにヒータ１６が通電される。モータ３１の駆動によりシロッコファン２９が回転して第２吸込口１４から浴室の空気が吸い込まれて吹出口１５から浴室１１へ吹き出される。この吹出口１５から吹き出される空気はヒータ１６によって加熱されるので浴室１１の暖房が行われる。
【００５２】
乾燥モードが設定されると、モータ３１が駆動されるとともにヒータ１６が通電され、シャッター１７が開成され、シャッター２６，２７は閉成される。モータ３０が停止していればモータ３０も駆動される。そして、モータ３１の駆動によりシロッコファン２９が回転して第２吸込口１４から浴室の空気が吸い込まれて吹出口１５から浴室１１へ吹き出され、この吹出口１５から吹き出される空気はヒータ１６によって加熱されるていく。他方、モータ３０の駆動によりシロッコファン２８が回転して浴室１１の空気が第１吸込口１３から吸い込まれて排気口２０へ送風され、接続ダクト２０Ａおよび排気ダクト２１を介して室外に排気される。
【００５３】
この排気により浴室１１の湿った空気が室外へ排気され、替わりに浴室１１のドアＤｒに設けてあるガラリＤＧから乾燥した空気が取り入れられるとともに吹出口１５から吹き出される空気が加熱されていることにより、浴室１１内の温度が適度に上がり、浴室は効率よく乾燥していく。このため、浴室１１に干した衣類等の乾燥を短時間で行える。
【００５４】
涼風モードが設定されると、モータ３１が駆動されるとともにシャッター１７が開成され、シャッター２６，２７は閉成される。モータ３０が停止していればモータ３０も駆動され、ヒータ１６が通電していればその通電は停止される。そして、モータ３１の駆動によりシロッコファン２９が回転して第２吸込口１４から浴室の空気が吸い込まれて吹出口１５から浴室１１へ吹き出される。他方、モータ３０の駆動によりシロッコファン２８が回転して浴室１１の空気が第１吸込口１３から吸い込まれて排気口２０へ送風され、接続ダクト２０Ａおよび排気ダクト２１を介して室外に排気される。
【００５５】
この排気により浴室１１の湿った空気が室外へ排気され、替わりに浴室１１のドアに設けてあるガラリ（図示せず）から乾燥した空気が取り入れられる。この乾燥した空気が第２吸込口１４から吸い込まれて吹出口１５から吹き出され、入浴者に当たるので、入浴者は涼しさを感じることになる。
【００５６】
浴室換気モードが設定されると、シャッター１７が開成され、シャッター２６，２７が閉成される。そしてモータ３０が駆動され、モータ３１が駆動されていれば停止され、ヒータ１６が通電されていればその通電は停止される。
【００５７】
モータ３０の駆動によりシロッコファン２８が回転して浴室１１の空気が第１吸込口１３から吸い込まれて排気口２０へ送風され、接続ダクト２０Ａおよび排気ダクト２１を介して室外に排気される。この排気により浴室１１の湿った空気が室外へ排気され、替わりに浴室１１のドアＤｒに設けてあるガラリＤＧから乾燥した空気が取り入れられて、浴室１１の換気が行われる。
【００５８】
なお、浴室換気モードと洗面所の換気を連動させることも可能であり、この場合には、シャッタ２６が開成されて、洗面所２４の空気がダクト２２を介して第１吸気口１８に吸気されて排気口２０へ送風され、接続ダクト２０Ａおよび排気ダクト２１を介して室外に排気される。浴室１１および洗面所２４の換気により、アンダーカット部を通してリビング等の他の室内の換気も行われていく。
【００５９】
次に、２４時間換気モード中に各種換気モードが選択された場合について説明する。
【００６０】
浴室換気モードが選択されると、シャッター１７は全開、シャッター２６，２７は住宅全体として必要換気風量となるようにデータマップにより決められたモータ３０の回転数およびシャッターの開度となり、浴室１１の局所換気量を満たしつつ、住宅全体で必要換気量（例えば、住宅全体で０．５回／Ｈ）となるように制御される。また、洗面所２４、トイレ２５の換気についても同様である。浴室１１と洗面所２４等の複数の換気スイッチが選択された場合についても、浴室１１、洗面所２４の対象エリアの局所換気量を満足しつつ、換気スイッチが選択されていないトイレ２５の換気量をシャッター２７の開度を小さくすることにより下げて、対象エリア（住宅の各フロア毎）で必要換気量を満足するように制御している。
【００６１】
また、２４時間換気モード中に暖房モードが選択されると、シャッター１７が閉成され、前述した暖房モードのように暖房運転が行われる。その際、シャッター２６，２７は浴室１１で換気を行わない不足分を補うため、それに見合ったシャッター開度になり、トータルでは必要換気量を満たすようになっている。他の乾燥モード、涼風モードについても住宅全体（各フロア毎）で必要換気量を満たしつつ、前述した乾燥、涼風運転モードを行う。
【００６２】
【発明の効果】
以上説明したように、この発明によれば、モータの制御回数を少なくすることができるとともに、外風圧に拘わりなく所定の時間内で一定の換気量が得られ、安価な換気装置を提供することができる。
【図面の簡単な説明】
【図１】この発明に係る換気装置を浴室の天井に取り付けた換気システムを示した説明図である。
【図２】図１に示す換気装置の底面図である。
【図３】図１に示す換気装置の制御系の構成を示したブロック図である。
【図４】データテーブルの１例を示した表である。
【図５】制御装置の構成を示したブロック図である。
【図６】制御装置の動作を示したフロー図である。
【図７】制御装置が出力する制御信号を示したタイムチャートである。
【図８】目標風量の求め方を示した説明図である。
【符号の説明】
３０                モータ
３２                回転数検出手段
３３                電流検出手段
４０                制御装置（制御手段）
【図１】
2004340490.tif 000003
【図２】
2004340490.tif 000004
【図３】
2004340490.tif 000005
【図４】
2004340490.tif 000006
【図５】
2004340490.tif 000007
【図６】
2004340490.tif 000008
【図７】
2004340490.tif 000009
【図８】
2004340490.tif 000010